(57)【要約】      （修正有）【課題】蓋の開き量を低減し動物の飛び出しを防止しつつ、迅速かつ容易に開閉できる動物飼育ケージを提供する。【解決手段】動物飼育ケージ１のケージ蓋３０は、複数の縦桟３２と、複数の横桟３３と、互いに離間して縦桟３２と略平行に伸びる規制桟３４とを備え、規制桟３４の直径は縦桟３２の直径よりも大きく、ケージ本体２の上面開口部１１をケージ蓋３０で閉鎖したときに、規制桟３４がケージ本体２内の空間１０に収容され、ケージ本体２に対するケージ蓋３０の水平方向の動きが規制されることを特徴とする。【選択図】図１
0003205473.tif 000002
【実用新案登録請求の範囲】
【請求項１】
動物飼育ケージのケージ本体の上面開口部を閉鎖可能なケージ蓋であって、外周枠と、前記外周枠内に配置された複数の第１桟及び前記複数の第１桟と略垂直に交差する複数の第２桟とより構成されるケージ蓋において、
互いに離間して前記複数の第１桟と略平行に伸びる複数の第３桟を備え、第３桟の直径は第１桟の直径よりも大きく、ケージ本体の上面開口部をケージ蓋で閉鎖したときに、第３桟がケージ本体内の空間に収容され、ケージ本体に対するケージ蓋の水平方向の動きが規制されることを特徴とするケージ蓋。
【請求項２】
前記複数の第３桟の各々と、最も近い外周枠の一辺との間の距離は０．５ｃｍ〜５ｃｍであることを特徴とする請求項１に記載のケージ蓋。
【請求項３】
前記複数の第２桟と平行な外周枠の２辺の各々に、断面略Ｌ字型の誘導部材が取り付けられ、前記誘導部材はケージ蓋における前記第３桟と同じ側に位置すると共に、前記誘導部材が取り付けられた外周枠の辺と略平行に伸びることを特徴とする請求項１又は２に記載のケージ蓋。
【請求項４】
互いに離間して伸びる２つの第３桟の間に、動物用の拡張空間を区画形成する嵩高部が設けられていることを特徴とする請求項１又は２に記載のケージ蓋。
【請求項５】
前記嵩高部は拡張空間を区画形成し、外周枠と嵩高部との間のケージ蓋の部分は平面状であることを特徴とする請求項４に記載のケージ蓋。
【請求項６】
前記複数の第１桟と平行な外周枠の一辺に、ケージ蓋をケージ本体に対して回動させるヒンジ機構が設けられていることを特徴とする請求項４または５に記載のケージ蓋。
【請求項７】
前記外周枠の一辺に対向する外周枠の一辺に、ケージ蓋をケージ本体に固定するための引っ掛け部材が取り付けられていることを特徴とする請求項６に記載のケージ蓋。
【請求項８】
ヒンジ機構より内方に、第３桟と略平行に伸びる断面Ｌ字型の位置決め部材が配置されていることを特徴とする請求項６又は７に記載のケージ蓋。
【請求項９】
上面開口部を有するケージ本体と、請求項１〜８のいずれか一項に記載のケージ蓋とを備えたことを特徴とする動物飼育ケージ。
【請求項１０】
上面開口部を有するケージ本体と、請求項１又は２に記載のケージ蓋とを備えた動物飼育ケージであって、
前記複数の第２桟と略平行な外周枠の２辺の各々に、略Ｌ字型の誘導部材が取り付けられ、前記誘導部材はケージ蓋における前記第３桟と同じ側に位置すると共に、前記誘導部材が取り付けられた外周枠の辺と略平行に伸び、複数の第１桟及び複数の第２桟とより構成されるケージ蓋の部分と誘導部材との間にケージ本体の上端エッジが配置され、
前記ケージ蓋は誘導部材に沿って前記複数の第２桟と略平行な方向にスライド移動可能であることを特徴とする動物飼育ケージ。
【請求項１１】
上面開口部を有するケージ本体と、請求項４に記載のケージ蓋とを備えた動物飼育ケージであって、
ケージ本体の上面開口部をケージ蓋で閉鎖したときの、前記嵩高部の上部とケージ本体の底面との間の距離が、動物が後ろ足で立ち上がっても、動物の頭が嵩高部の上部につかない距離であることを特徴とする動物飼育ケージ。
【請求項１２】
動物飼育ケージに餌入れが取り付けられており、ケージ本体の上面開口部をケージ蓋で閉鎖したときの餌入れとケージ蓋との間の距離が、動物の侵入を防止する大きさである請求項９〜１１のいずれか一項に記載の動物飼育ケージ。 
【考案の詳細な説明】
【技術分野】
【０００１】
本考案は、動物飼育ケージ用ケージ蓋及び動物飼育ケージに関する。
【背景技術】
【０００２】
マウス、ラット、モルモット等の実験動物を飼育するための動物飼育ケージとして、従来は特許文献１に記載されているような、ケージ本体と、ケージ本体の鉛直方向上面開口部に備えられ、ケージ本体の内側に向けて給餌用凹陥部が設けられているケージ蓋とからなる動物飼育ケージが使用されている。
【０００３】
ところで、動物実験では毎日動物を観察したり体重測定したりするため、固定されたケージ蓋を開けて、動物をケージ内から取り出す必要がある。特に、ケージ内に複数の動物を飼育している場合には、目的の動物を取り出す際に蓋を開ける場合に、目的動物以外の動物が飛び出さないように、蓋の開閉を素早く、且つ少ない開き量で出し入れ必要がある。 
【０００４】
しかしながら、特許文献１に記載された動物飼育ケージの場合、ケージ本体の片側の端部を、もう片側の端部を支点として持ち上げてケージ蓋を外さなければならないため、ケージ本体の内部空間の開き量が大きくなる。
【０００５】
また、特許文献１に記載された動物飼育ケージではケージ蓋を持ち上げて移動させるときに、給餌用凹陥部が障害になるのみならず、ケージ内の動物にぶつかる可能性もある。
【０００６】
さらに、近年の実験動物飼育では、動物が後ろ足で立ち上がっても頭がケージ蓋に着かないことが求められているが、特許文献１のケージでは、動物が成長して大きくなると頭がケージ蓋に着くという問題がある。
【先行技術文献】
【特許文献】
【０００７】
【特許文献１】特開２００２−２５３０７８号公報
【考案の概要】
【考案が解決しようとする課題】
【０００８】
本考案は、上記問題を解決するためになされたものである。
【０００９】
本考案の一つの目的は、動物をケージから出し入れする時の蓋の開き量を低減させたケージ蓋及び動物飼育ケージを提供することにある。
【００１０】
本考案の別の目的は、動物が後ろ足で立ち上がった時でも頭上の空間が確保されたケージ蓋及び動物飼育ケージを提供することにある。
【課題を解決するための手段】
【００１１】
本考案の上記目的は、本考案のケージ蓋及び動物飼育ケージにより達成される。
【００１２】
本考案は以下の通りである。
【００１３】
項１.動物飼育ケージのケージ本体の上面開口部を閉鎖可能なケージ蓋であって、外周枠と、前記外周枠内に配置された複数の第１桟及び前記複数の第１桟と略垂直に交差する複数の第２桟とより構成されるケージ蓋において、
互いに離間して前記複数の第１桟と略平行に伸びる複数の第３桟を備え、第３桟の直径は第１桟の直径よりも大きく、ケージ本体の上面開口部をケージ蓋で閉鎖したときに、第３桟がケージ本体内の空間に収容され、ケージ本体に対するケージ蓋の水平方向の動きが規制されることを特徴とするケージ蓋。
【００１４】
項２．前記複数の第３桟の各々と、最も近い外周枠の一辺との間の距離は０．５ｃｍ〜５ｃｍであることを特徴とする項１に記載のケージ蓋。
【００１５】
項３．前記複数の第２桟と平行な外周枠の２辺の各々に、断面略Ｌ字型の誘導部材が取り付けられ、前記誘導部材はケージ蓋における前記第３桟と同じ側に位置すると共に、前記誘導部材が取り付けられた外周枠の辺と略平行に伸びることを特徴とする項１又は２に記載のケージ蓋。
【００１６】
項４．互いに離間して伸びる２つの第３桟の間に、動物用の拡張空間を区画形成する嵩高部が設けられていることを特徴とする項１又は２に記載のケージ蓋。
【００１７】
項５．前記嵩高部は拡張空間を区画形成し、外周枠と嵩高部との間のケージ蓋の部分は平面状であることを特徴とする項４に記載のケージ蓋。
【００１８】
項６．前記複数の第１桟と平行な外周枠の一辺に、ケージ蓋をケージ本体に対して回動させるヒンジ機構が設けられていることを特徴とする項４または５に記載のケージ蓋。
【００１９】
項７．前記外周枠の一辺に対向する外周枠の一辺に、ケージ蓋をケージ本体に固定するための引っ掛け部材が取り付けられていることを特徴とする項６に記載のケージ蓋。
【００２０】
項８．ヒンジ機構より内方に、第３桟と略平行に伸びる断面Ｌ字型の位置決め部材が配置されていることを特徴とする項６又は７に記載のケージ蓋。
【００２１】
項９．上面開口部を有するケージ本体と、項１〜８のいずれか一項に記載のケージ蓋とを備えたことを特徴とする動物飼育ケージ。
【００２２】
項１０．上面開口部を有するケージ本体と、項１又は２に記載のケージ蓋とを備えた動物飼育ケージであって、
前記複数の第２桟と略平行な外周枠の２辺の各々に、略Ｌ字型の誘導部材が取り付けられ、前記誘導部材はケージ蓋における前記第３桟と同じ側に位置すると共に、前記誘導部材が取り付けられた外周枠の辺と略平行に伸び、複数の第１桟及び複数の第２桟とより構成されるケージ蓋の部分と誘導部材との間にケージ本体の上端エッジが配置され、
前記ケージ蓋は誘導部材に沿って前記複数の第２桟と略平行な方向にスライド移動可能であることを特徴とする動物飼育ケージ。
【００２３】
項１１．上面開口部を有するケージ本体と、項４に記載のケージ蓋とを備えた動物飼育ケージであって、
ケージ本体の上面開口部をケージ蓋で閉鎖したときの、前記嵩高部の上部とケージ本体の底面との間の距離が、動物が後ろ足で立ち上がっても、動物の頭が嵩高部の上部につかない距離であることを特徴とする動物飼育ケージ。
【００２４】
項１２．動物飼育ケージに餌入れが取り付けられており、ケージ本体の上面開口部をケージ蓋で閉鎖したときの餌入れとケージ蓋との間の距離が、動物の侵入を防止する大きさである項９〜１１のいずれか一項に記載の動物飼育ケージ。
【考案の効果】
【００２５】
本考案のケージ蓋及び動物飼育ケージによれば、動物飼育ケージからの動物の飛び出しを防止しつつ、動物又は餌を速やかに出し入れすることができる。また、動物が成長してもケージ蓋に頭がつっかえず、快適な飼育空間が確保される。
【図面の簡単な説明】
【００２６】
【図１】本考案の第１実施形態に係る動物飼育ケージの分解略斜視図である。
【図２】閉鎖位置にある図１の動物飼育ケージの略斜視図である。
【図３】図２の動物飼育ケージの３−３線における断面図である。
【図４】図２の動物飼育ケージの４−４線における断面図である。
【図５】開放位置にある図１の動物飼育ケージの略斜視図である。
【図６】図５の動物飼育ケージの６−６線における断面図である。
【図７】本考案の第２実施形態に係る動物飼育ケージの分解略斜視図である。
【図８】引っ掛け部材、ヒンジ機構、及び位置決め部材の配置を示す略斜視図である。
【図９】閉鎖位置にある図７の動物飼育ケージの略斜視図である。
【図１０】開放位置にある図７の動物飼育ケージの略斜視図である。
【図１１】ケージ蓋の開閉時の動作を説明する略断面図である。
【図１２】ケージ蓋の開閉時の動作を説明する部分拡大断面図である。
【図１３】ヒンジ機構及び位置決め部材の別例を示す部分拡大斜視図である。
【考案を実施するための形態】
【００２７】
以下、本考案の実施形態に係る動物飼育ケージについて、図面を参照しながら説明する。
（第１実施形態）
図１は、第１実施形態に係る動物飼育ケージ１である。動物飼育ケージ１にて飼育される動物としては、マウス、ハムスター、ラット、モルモット、ウサギ、犬、猫、小型ザル等の動物、特には実験動物が含まれる。動物には成体及び幼若のどちらの場合も含まれる。
【００２８】
第１実施形態に係る動物飼育ケージ１は、合成樹脂製のケージ本体２と、ケージ本体２の上面開口部１１を閉鎖可能なケージ蓋３０とを備えている。
【００２９】
まず、ケージ本体２について説明する。ケージ本体２は底面３と、底面３と連続して立設された４つの側面４，５，６，７とを備えている。４つの側面４，５，６，７の上端８には、ケージ蓋３０と係合するための上端エッジ９が設けられている。ケージ蓋３０の外周枠３１を底面３及び４つの側面４，５，６，７は動物を収容するための内部空間１０を区画形成する。ケージ本体２の内部に区画形成される空間１０の上端面が上面開口部１１に対応する。上端エッジ９は、図２−４に示すようにケージ蓋３０によりケージ本体２の上面開口部１１を閉鎖したときに、ケージ蓋３０の外周枠３１が上端エッジ９の上に載置されるよう、ケージ本体２の上端に沿って伸びている。
【００３０】
図１に戻り、本実施形態では、上端エッジ９は、上端８における餌入れ２０が取り付けられる部分２１（図では２つ）、後述する隔壁１８が係合する凹み２２（図では２つ）、及び後述するヒンジ機構４７が取り付けられる凹み２３（図では２つ）の位置を除き、上端８に沿って伸びている。部分２１において上端エッジ９が設けられていないため、餌入れ２０を取り付けた状態での餌入れ２０の上端の高さは上端エッジ９の高さとほぼ同一かそれより低くなり、ケージ本体２の上にケージ蓋３０を載せたときのケージ本体２の上端エッジ９とケージ蓋３０の外周枠３１との接触への干渉が防止される。また、凹み２２が設けられているため、隔壁１８が凹み２２に係合した状態での隔壁１８の上端の高さは上端エッジ９の高さとほぼ同一かそれより低くなり、同様に、ケージ本体２の上にケージ蓋３０を載せたときのケージ本体２の上端エッジ９とケージ蓋３０の外周枠３１との接触への干渉が防止される。
【００３１】
なお、餌入れ２０をケージ本体２に取り付けたときの餌入れ２０とケージ蓋３０との間の距離は、動物の侵入を防止する大きさである。このため、動物飼育ケージ１内が清潔に維持される。また、餌入れ２０はケージ本体２の上端に取り付けられているため、ケージ本体の内側に向けて給餌用凹陥部が設けられている従来技術の餌入れとは異なり、ケージ蓋３０の開閉時に餌入れ２０が移動せず、かつ動物の住空間がより大きく確保される。
【００３２】
ケージ本体２の上端部の四隅には突起１２が設けられており、これは複数の動物飼育ケージ１を積み重ねるときに、互いの動物飼育ケージ１の取り外しを容易とする緩衝部として機能する。
【００３３】
ケージ本体２を構成する側面のうちの一つである側面７は、ケージ本体２の底面３に対する角度が鈍角をなすように傾斜している。つまり、ケージ本体２を平面視した場合、ケージ本体２の横断面の面積は底面３に向かうにつれて低減している。
【００３４】
側面７に設けられた２つの略円形の貫通孔１３の各々には例えばステンレス等の金属製のグロメット１４が装着され、グロメット１４には、ケージ本体２内の飼育動物がケージ本体２の外側の自動給水装置(非図示)から供給された水を摂取するための飲水孔１５が設けられている。飲水孔１５の形状は飲水孔１５の長手方向がケージ本体２の水平方向に一致する直線形に示されているが、略十字形等の他の形状であってもよい。飲水孔１５の寸法は、動物が自動給水装置からの水を受け取ることができるよう動物の口の周囲の寸法に合わせて当業者には適宜設定可能である。自動給水装置の給水ノズルの先端開口は、動物飼育ケージ１の外で、動物飼育ケージから離間させ、かつ動物が飲水できる距離に配置する。側面７が底面３に対して鈍角をなして傾斜しているため、動物が飲水した時に水がこぼれても、かかる水は動物飼育ケージ１の外で垂直下方に向けて落下し、動物飼育ケージ１内への水の侵入が防止される。
【００３５】
ケージ本体２の内部で底面３の中央に、側面５と側面５に対向する側面７の間に直線状に伸びる２つのガイド部材１６が設けられ、２つのガイド部材１６の間に溝１７が画成されている。着脱可能な隔壁１８は、上端部の両側側方に突出部１９を備え、２つの突出部１９の各々がケージ本体２の上端８に設けられた対応する凹み２２に係合し、隔壁１９の下端部が溝１７に嵌合することで、隔壁１７は側面５と側面７との間に架設され、各小空間に一つのグロメット１４が存在するように、空間１０が２つの小空間に区切ることができる。このように、隔壁１８のケージ本体２への着脱により、動物飼育ケージ１を選択的に群飼育と個別飼育とに使い分けることができる。
【００３６】
次に、ケージ蓋３０について説明する。ケージ蓋３０は、外周枠３１と、外周枠３１内に配置された第１桟としての複数の縦桟３２と、複数の縦桟３２と略垂直に交差する第２桟としての複数の横桟３３とより構成される。外周枠３１と、複数の縦桟３２と、複数の横桟３３とからなるケージ蓋３０の部分は平面状である。縦桟３２及び横桟３３は、例えばメッキされた金属線またはステンレスより形成される。
【００３７】
ケージ蓋３０はさらに、互いに離間して複数の縦桟３２と略平行に伸びる第３桟としての複数の規制桟３４（図では２つ）を備えている。規制桟３４は、例えばメッキされた金属またはステンレス等より形成される。規制桟３４の直径は縦桟３２の直径よりも大きい。図２に示すようにケージ本体２の上面開口部１１をケージ蓋３０で閉鎖したときに、図３及び図４に示すように規制桟３４がケージ本体２内の空間１０に収容され、ケージ本体２に対するケージ蓋３０の水平方向の動き（図２でｘ方向及びｙ方向）が規制される。
【００３８】
各規制桟３４と、それに最も近い外周枠３１の一辺との間の距離Ｄ（図１参照）は特に限定されないが、０．５ｃｍ〜５ｃｍであることが好ましい。規制桟３４がケージ本体２内の空間１０に収容された時にケージ本体の側面５又は７の内壁に隣接すると、ケージ蓋３０のケージ本体２に対する動き、特にｙ方向の動きがよりしっかりと規制される。なおケージ蓋３０の動きを「規制する」とは、ケージ蓋３０が完全に固定されることのみを意味せず、規制桟３４の移動が空間１０内で制限される結果、ケージ蓋３０の動きが制限されることを指す。
【００３９】
本実施形態では、複数の横桟３３と平行な外周枠３１の２辺の各々に、断面略Ｌ字型の誘導部材３５が取り付けられている。誘導部材３５はケージ蓋３０における規制桟３４と同じ側に位置すると共に、誘導部材３５が取り付けられた外周枠３１の辺と略平行（図２でｙ方向）に伸びる。
【００４０】
複数の縦桟３２及び複数の横桟３３より構成されるケージ蓋３０の部分と誘導部材３５との間にケージ本体２の上端エッジ９が配置される。上端エッジ９は、ケージ本体２の略水平方向（ｘ，ｙ方向）に伸びる上端部９ａと、上端部９ｂから下隆してケージ本体２の略垂直方向（ｚ方向）に伸びる側部９ｂとを備える。複数の縦桟３２及び複数の横桟３２より構成されるケージ蓋３０の部分と誘導部材３５の内底面３６の間の距離は、規制桟３４の直径とケージ本体２の上端エッジ９の高さとを足した距離よりも大きい。
【００４１】
次に、ケージ蓋３０の開閉作用について説明する。
【００４２】
図５に示すようにケージ本体２の上面開口部１１を開放させたいとき、作業者がケージ蓋３０を上方（＋ｚ方向）に持ち上げると、図６に示すようにケージ本体の２の上端エッジ９の側部９ｂの下端９ｃが誘導部材３５の内底面３６に当接する。この状態で、ケージ蓋３０は誘導部材３５に沿って複数の横桟３３と略平行な方向（ｙ方向）にスライド移動させる。＋ｙ方向に移動させると上面開口部１１は開放され、−ｙ方向に移動させると上面開口部１１が閉塞される。ケージ蓋３０の移動後に、作業者がケージ蓋３０を下方（−ｚ方向）に押し下げると、上述したように、規制桟３４がケージ本体２内の空間１０に収容され、ケージ本体２に対するケージ蓋３０の水平方向の動きが規制される。また、ケージ蓋３０が重い場合は、作業者がケージ蓋３０を−ｙ方向に移動させた後、自重でケージ蓋３０が沈んで規制桟３４がケージ本体２内の空間１０に収容され、ケージ本体２に対するケージ蓋３０の水平方向の動きが規制される。
【００４３】
このように、第１実施形態では、ケージ蓋３０の少ない開き量で、動物飼育ケージ１を選択的に開放及び閉鎖することができる。このため、動物飼育ケージ１からの動物の飛び出しを防止しつつ、動物又は餌を速やかに出し入れすることができる。
（第２実施形態）
図７は、第２実施形態に係る動物飼育ケージ１である。なお、第１実施形態の動物飼育ケージ１と同じ部材については説明を省略する。
【００４４】
動物を飼育すると、動物が成長して体長が大きくなる。例えば成ラットでは体重が５００〜６００ｇに達する。動物が後ろ足で立ち上がったときに動物飼育ケージ１に頭が届く前に、第２実施形態の動物飼育ケージ１を使用すれば、動物の快適な飼育空間が引き続き確保され、有利である。
【００４５】
第２実施形態に係る動物飼育ケージ１も、合成樹脂製のケージ本体２と、ケージ本体２の上面開口部１１を閉鎖可能なケージ蓋３０とを備え、ケージ本体２の構成は第１実施形態で説明したのと同じである。
【００４６】
第２実施形態のケージ蓋３０も、外周枠３１と、外周枠３１内に配置された第１桟としての複数の縦桟３２と、複数の縦桟３２と略垂直に交差する第２桟としての複数の横桟３３とを備えている。外周枠３１と、複数の縦桟３２と、複数の横桟３３とからなるケージ蓋３０の部分４０は平面状である。
【００４７】
ケージ蓋３０はさらに、互いに離間して複数の縦桟３２と略平行に伸びる第３桟としての複数の規制桟３４（図では手前側に１つ、奥側に互いに離間して一直線上に配置された２つ）を備えている。規制桟３４の直径は縦桟３２の直径よりも大きい。規制桟３４は上記の平面状の部分４０に設けられている。
【００４８】
２つの部分４０の両端部にわたって長尺状のプレート４１が接続されている。プレート４１の材料は特定されないが、例えばステンレス等の金属から形成されている。２つの部分４０とプレート４１に囲まれた嵩高部４２は、本実施形態では先端を切り欠いた四角錐（四角錐台形）の形状をしている。嵩高部４２は、プレート４１と同じステンレス等の金属から形成されたプレート４１から斜め上方に伸びる２つ傾斜部４３と、２つの傾斜部４３に隣接する複数の縦桟３２と複数の横桟３３とから形成された２つの傾斜部４４と、複数の縦桟３２と複数の横桟３３とから形成された上部４５とから構成されている。
【００４９】
前記複数の縦桟３２と平行な外周枠３１の一辺には、ケージ蓋３０をケージ本体２に対して回動させるヒンジ機構４７（図７，８では２つ）が設けられている。ヒンジ機構４７はケージ本体２の凹み２３に取り付けられる。外周枠３１の一辺に対向する外周枠３１の一辺には、ケージ蓋３０をケージ本体２に固定するための断面略コの字型の引っ掛け部材４６が取り付けられている。ヒンジ機構４７よりもケージ蓋３０の内方の部分４０には、規制桟３４と略平行に伸びる断面Ｌ字型の位置決め部材４８が配置されている。位置決め部材４８は、ヒンジ機構４７と位置決め部材４８の間にケージ本体２の上端エッジ９が配置されるよう（図１１参照）、上端エッジ９が位置決めされる。
【００５０】
次に、ケージ蓋３０の開閉作用について説明する。
【００５１】
図９に示すように、動物飼育ケージ１が閉鎖位置にあるとき、つまり、ケージ本体２の上面開口部１１をケージ蓋３０で閉鎖したとき、第１実施形態と同様に規制桟３４がケージ本体２内の空間１０に収容され（図１１の（Ａ）の状態）、ケージ本体２に対するケージ蓋３０の水平方向の動き（図９でｘ方向及びｙ方向）が規制される。
【００５２】
また、動物飼育ケージ１が閉鎖位置にあるとき、嵩高部４２はケージ本体２の空間１０に連続する拡張空間４９を区画形成する。好ましくは、嵩高部４２の上部４５とケージ本体２の底面３との間の距離は、動物が後ろ足で立ち上がっても、動物の頭が嵩高部４２の上部４５につかない距離である。このため、動物の飼育空間が広く確保される。
【００５３】
なお、図１１の（Ａ）の状態に示されるように、動物飼育ケージ１が閉鎖位置にあるときの餌入れ２０とケージ蓋３０との間の距離は、動物の侵入を防止する大きさである。
【００５４】
次に、図１０、図１１の（Ｂ）の状態、図１２に示すように、ケージ本体２の上面開口部１１を開放させるときは、作業者が引っ掛け部材４６を解放してケージ蓋３０をケージ本体２に対して移動可能とする。続いてケージ蓋３０をヒンジ機構４７を中心に上方に回動させると、ヒンジ機構４７の下端部４７ａがケージ本体２の側面７と上端エッジ９の上端部９ａと上端部９ａとにより区画形成された溝５０に進入し、位置決め部材４８が上端エッジ９の上端部９ａに接触するか、及び／又は溝５０内で上端エッジ９に接触する。ケージ蓋３０を閉鎖するときは、作業者が開放時とは反対方向にケージ蓋３０をヒンジ機構４７を中心に下方に回動させ、ケージ本体２の上面開口部１１を閉塞し、規制桟３４をケージ本体２内の空間１０に収容させればよい。このように、ケージ蓋３０はヒンジ機構４７と上端エッジ９の接点を支点として開閉可能である。
【００５５】
このように、第２実施形態では、飼育動物用の拡張空間を提供しつつ、動物飼育ケージ１を選択的に開放及び閉鎖することができる。第２実施形態のケージ蓋３０は第１実施形態のケージ蓋３０よりも重量があるが、ヒンジ機構４７を用いることにより、迅速かつ簡便なケージ蓋３０の開閉を実現できる。
【００５６】
第２実施形態の動物飼育ケージ１では、第１実施形態と同じケージ本体２を用いているため、ケージ蓋３０を第１実施形態のケージ蓋３０から第２実施形態のケージ蓋３０へ交換するだけで、簡便かつ迅速なケージ蓋３０の開閉を確保しつつ、動物の成長に合わせた広い空間で動物を飼育し続けることができる。
【００５７】
以上、本考案の第１及び第２実施形態の動物飼育ケージ１について説明したが、本考案は上記実施形態に限定されるものではなく、本考案の趣旨を逸脱しない限りにおいて種々の変更が可能であり、以下のような変更も考えられる。
【００５８】
○ケージ本体２の上端エッジ９は他の形状を取ってもよい。また、隔壁１８が係合する凹み２２及びヒンジ機構４０が取り付けられる凹み２３は省略されてもよい。
【００５９】
○第１ケージ本体２の側面７は底面３に対して鈍角をなすよう傾斜せず、略垂直の角度をなしてもよい。
【００６０】
○グロメット１４は省略されてもよく、動物には別の公知の方法で自動給水装置により又は手動で給水してもよい。
【００６１】
○ガイド部材１６、溝１７、及び隔壁１８は他の形状を取ってもよいし、省略されてもよい。
【００６２】
○第２実施形態におけるケージ蓋３０の嵩高部４２の配置は図示した配置に限定されず、互いに離間して伸びる２つの規制桟３４の間に動物用の拡張空間を区画形成するように設けられていればよい。
【００６３】
○第２実施形態におけるケージ蓋３０の嵩高部４２の形状は図示した形状に限定されない。例えば、切り欠いた四角錐以外に、略直方体や略立方体であってもよい。
【００６４】
○第２実施形態の動物飼育ケージ１は、動物の飼育直後から使用してもよい。ただし、ケージ蓋３０の重さ及びケージ蓋３０の開閉作業の簡便さの点で、最初は第１実施形態の動物飼育ケージ１で飼育し、動物の頭が動物飼育ケージ１に届く前に、第２実施形態の動物飼育ケージ１に切り替えるのが飼育作業上、効率的である。
【００６５】
○ヒンジ機構４７及び位置決め部材４８の構成は図８に示したものに限定されない。例えば、図１３に示すように、位置決め部材４８はヒンジ機構４７（図では２つ）と一体接続されていてもよい。本例では、ヒンジ機構４７及び位置決め部材４８は、ケージ蓋３０の長手方向に沿った中央に配置されている。ケージ蓋３０をケージ本体２に取り付けるとき、ヒンジ機構４７と位置決め部材４８の間にケージ本体２の上端エッジ９が挟まれるため、規制桟３４がヒンジ機構４７及び位置決め部材４８と上端エッジ９との係合に干渉するのを防止するため、ヒンジ機構４７と位置決め部材４８の間の空間よりも、規制桟３４はケージ蓋３０の内方に配置されるようにする。ケージ蓋３０は、位置決め部材４８の長手方向に沿った両端に、第２の位置決め部材５２を備えていてもよい。第２の位置決め部材５２はケージ蓋３０の長手方向に沿って位置決め部材４８と整列しており、ケージ本体２の上端エッジ９がケージ蓋３０の長手方向に沿ってケージ蓋３０と係合するのを支援すると共に、ヒンジ機構４７が回動するときのケージ蓋３０のケージ本体２からの離脱を防止する。
【符号の説明】
【００６６】
１…動物飼育ケージ
２…ケージ本体
９…ケージ本体の上端エッジ
９ｃ…下端
１０…ケージ本体内の空間
１１…上面開口部
３０…ケージ蓋
３１…該周枠
３２…第１桟としての縦桟
３３…第２桟としての横桟
３４…第３桟としての規制桟
３５…誘導部材
４０…外周枠と嵩高部との間のケージ蓋の部分
４２…嵩高部
４６…引っ掛け部材
４８，５２…位置決め部材
４７…ヒンジ機構
４９…拡張空間
【図１】
0003205473.tif 000003
【図２】
0003205473.tif 000004
【図３】
0003205473.tif 000005
【図４】
0003205473.tif 000006
【図５】
0003205473.tif 000007
【図６】
0003205473.tif 000008
【図７】
0003205473.tif 000009
【図８】
0003205473.tif 000010
【図９】
0003205473.tif 000011
【図１０】
0003205473.tif 000012
【図１１】
0003205473.tif 000013
【図１２】
0003205473.tif 000014
【図１３】
0003205473.tif 000015